(57)【要約】【課題】最小１００ｍＶカソード分極を指標としたカソード防食基準を適用した計測評価を、適正な状況下で行われているか否かの判断を踏まえて実行する。【解決手段】埋設パイプラインの管対地電位を計測する管対地電位計測手段１１と、埋設パイプラインに作用するカソード防食電流源を、全てオフした状態からオンした後、設定時間経過後に再びオフするタイミングに合わせて、管対地電位計測手段１１で計測された計測値を演算処理する演算処理手段１２とを備え、演算処理手段１２は、計測値を単位計測時間毎に平均処理して、時系列毎の評価値を抽出する評価値抽出手段１３、評価値に基づいて、カソード分極基準によるカソード防食状況の評価が適正であるか否かを判断する評価適正判断手段１４、評価適正判断手段１４の判断結果が適正である場合に、評価値から求めたカソード分極量をカソード分極基準と照査するカソード防食状況評価手段１５、を備える。【選択図】図１
2008292360.tif 000002
【特許請求の範囲】
【請求項１】
カソード防食された埋設パイプラインに対して、カソード防食状況を計測評価する装置であって、
前記埋設パイプラインの管対地電位を計測する管対地電位計測手段と、
前記埋設パイプラインに作用するカソード防食電流源を、全てオフした状態からオンした後、設定時間経過後に再びオフするタイミングに合わせて、前記管対地電位計測手段で計測された計測値を演算処理する演算処理手段とを備え、
前記演算処理手段は、
前記計測値を単位計測時間毎に平均処理して、時系列毎の評価値を抽出する評価値抽出手段、
前記評価値に基づいて、カソード分極基準によるカソード防食状況の評価が適正であるか否かを判断する評価適正判断手段、
前記評価適正判断手段の判断結果が適正である場合に、前記評価値から求めたカソード分極量をカソード分極基準と照査するカソード防食状況評価手段、
を備えることを特徴とする埋設パイプラインのカソード防食状況計測評価装置。
【請求項２】
前記評価値抽出手段は、前記カソード防食電流源を全てオフした状態からオンするまでの間、当該オン後の安定時から前記カソード防食電流源全てを再びオフするまでの間、当該オフから再び前記カソード防食電流源をオンするまでの間で、前記評価値を抽出することを特徴とする請求項１に記載された埋設パイプラインのカソード防食状況計測評価装置。
【請求項３】
前記評価適正判断手段は、前記カソード防食電流源を全てオフした状態からオンするまでの間で抽出された前記評価値を腐食電位の基準値と比較して、当該評価値が前記腐食電位の基準値以上でない場合に不適正と判断することを特徴とする請求項１又は２に記載された埋設パイプラインのカソード防食状況計測評価装置。
【請求項４】
前記評価適正判断手段は、前記カソード防食電流源をオン後の安定時から前記カソード防食電流源全てを再びオフするまでの間で抽出された前記評価値を、時系列順に比較して、後の評価値が先の評価値以上の場合に不適正と判断することを特徴とする請求項１〜３のいずれかに記載された埋設パイプラインのカソード防食状況計測評価装置。
【請求項５】
前記評価適正判断手段は、前記カソード防食電流源をオンした後に再びオフする直前に抽出された前記評価値を求めるための計測値波形から交流腐食リスクがあると認められる場合に不適正と判断することを特徴とする請求項１〜４のいずれかに記載された埋設パイプラインのカソード防食状況計測評価装置。
【請求項６】
カソード防食された埋設パイプラインに対して、カソード防食状況を計測評価する方法であって、
前記埋設パイプラインの管対地電位を計測する管対地電位計測工程と、
前記埋設パイプラインに作用するカソード防食電流源を、全てオフした状態からオンした後、設定時間経過後に再びオフするタイミングに合わせて、前記管対地電位計測工程で計測された計測値を演算処理する演算処理工程とを有し、
前記演算処理工程は、
前記計測値を単位計測時間毎に平均処理して、時系列毎の評価値を抽出する評価値抽出工程、
前記評価値に基づいて、カソード分極基準によるカソード防食状況の評価が適正であるか否かを判断する評価適正判断工程、
前記評価適正判断工程の判断結果が適正である場合に、前記評価値から求めたカソード分極量をカソード分極基準と照査するカソード防食状況評価工程、
を有することを特徴とする埋設パイプラインのカソード防食状況計測評価方法。
【発明の詳細な説明】
【技術分野】
【０００１】
本発明は、カソード防食された埋設パイプラインに対して、カソード防食状況を計測評価する方法及び装置に関するものである。
【背景技術】
【０００２】
埋設された鋼製パイプラインの腐食防止対策として、鋼製パイプラインに塗覆装を施し、それに加えてカソード防食を行うことが最も確実であることが認められている。この際、塗覆装の経年変化や埋設状況の変化、或いは直流迷走電流及び／又は交流迷走電流の発生原因となる周辺環境変化などに対応すべく、定期的にカソード防食状況を計測・評価することがパイプラインの健全性維持のために不可欠である。
【０００３】
カソード防食基準は、金属の腐食速度を維持管理上問題とならない０．０１ｍｍ／year未満にするもので、ＩＳＯ国際基準としては、分極電位を指標としたものと、最小１００ｍＶカソード分極を指標としたものがある。
【０００４】
分極電位を指標としたカソード防食基準によると、計測された分極電位が防食電位以下であるか否かでカソード防食状況の良否を評価する。ＩＳＯ国際基準（下記非特許文献１参照）では、通常の埋設環境において、防食電位Ｅｐは−８５０ｍＶＣＳＥ（飽和硫酸銅電極ＣＳＥ電位基準）と定められており、分極電位が防食電位以下であればカソード防食状況は良好と判定している。分極電位の実際上の計測方法としては、ａ）オン電位計測、ｂ）インスタントオフ電位計測、ｃ）プローブ（クーポン）インスタントオフ電位計測の３つが挙げられている（「プローブ」と「クーポン」は同義語である）。
【０００５】
一方、最小１００ｍＶカソード分極を指標としたカソード防食基準は、埋設パイプラインが腐食電位を示す状態において、すべてのカソード防食システムの電源オンによってパイプラインへ防食電流を印加し、その印加後のカソード分極を計測して、計測されたカソード分極量が１００ｍＶ以上であればカソード防食基準に合格であると判定する。
【０００６】
分極電位を指標としたカソード防食基準は、新設された構造物に対して適用されるが、最小１００ｍＶカソード分極を指標としたカソード防食基準は、経年化によって塗覆装が劣化した構造物又は裸の構造物に対して適用される。実際上、後者の基準は、歴青質塗覆装パイプライン又は裸管を対象にして、全てのカソード防食システムをオフにすることができる状況下で適用される。
【非特許文献１】ISO 15589-1:International Standard,Part1:On-land Pipeline ,First Edition(2003)
【発明の開示】
【発明が解決しようとする課題】
【０００７】
最小１００ｍＶカソード分極を指標としたカソード防食基準は、通常の埋設状況における防食電流の効果を評価するものであるため、特に、下記ａ）〜ｆ）のケースにおいては適用してはならないとされている。
【０００８】
ａ）高温で操業するパイプライン、ｂ）硫酸塩還元菌が生息する土壌に埋設されたパイプライン、ｃ）干渉電流が存在する環境に埋設されたパイプライン、ｄ）ボンド電流が存在する配管系、ｅ）地電流が存在する環境に埋設されたパイプライン、ｆ）複合金属と接続されているか、又は複合金属からなるパイプライン。
【０００９】
しかしながら、このカソード防食基準を採用する際の計測手段としては、従来、パイプラインの対地電位の時間変化をカソード防食電流のオン・オフに合わせて計測しているにすぎず、その計測時の状況が如何なる状況下であるかを把握できない問題があった。特に、前述した、ｂ），ｃ），ｅ）のようなケースは、計測環境の外観やパイプラインの敷設状況の把握からは判断できないことが多く、実際の計測結果がカソード防食基準を適用できる状況下におかれたパイプラインから計測されたものであるか否かを判断できない問題があった。
【００１０】
本発明は、このような事情に対処するために提案されたものであって、歴青質塗覆装パイプライン或いは裸管を対象にしたカソード防食状況の計測評価を適正な状況の下で行うことができること等が本発明の目的である。
【課題を解決するための手段】
【００１１】
このような目的を達成するために、本発明は、カソード防食された埋設パイプラインに対して、カソード防食状況を計測評価する装置であって、前記埋設パイプラインの管対地電位を計測する管対地電位計測手段と、前記埋設パイプラインに作用するカソード防食電流源を、全てオフした状態からオンした後、設定時間経過後に再びオフするタイミングに合わせて、前記管対地電位計測手段で計測された計測値を演算処理する演算処理手段とを備え、前記演算処理手段は、前記計測値を単位計測時間毎に平均処理して、時系列毎の評価値を抽出する評価値抽出手段、前記評価値に基づいて、カソード分極基準によるカソード防食状況の評価が適正であるか否かを判断する評価適正判断手段、前記評価適正判断手段の判断結果が適正である場合に、前記評価値から求めたカソード分極量をカソード分極基準と照査するカソード防食状況評価手段、を備えることを特徴とする。
【００１２】
また、カソード防食された埋設パイプラインに対して、カソード防食状況を計測評価する方法であって、前記埋設パイプラインの管対地電位を計測する管対地電位計測工程と、前記埋設パイプラインに作用するカソード防食電流源を、全てオフした状態からオンした後、設定時間経過後に再びオフするタイミングに合わせて、前記管対地電位計測工程で計測された計測値を演算処理する演算処理工程とを有し、前記演算処理工程は、前記計測値を単位計測時間毎に平均処理して、時系列毎の評価値を抽出する評価値抽出工程、前記評価値に基づいて、カソード分極基準によるカソード防食状況の評価が適正であるか否かを判断する評価適正判断工程、前記評価適正判断工程の判断結果が適正である場合に、前記評価値から求めたカソード分極量をカソード分極基準と照査するカソード防食状況評価工程、を有することを特徴とする。
【発明の効果】
【００１３】
このような特徴の本発明によると、カソード防食された埋設パイプラインに対して、カソード防食状況を計測評価するに際して、最小１００ｍＶカソード分極を指標としたカソード防食基準を適用した計測評価を、適正な状況下で行われているか否かの判断を踏まえて実行することができるので、信頼性の高い評価結果を得ることができる。
【発明を実施するための最良の形態】
【００１４】
以下、本発明の実施形態を図面に基づいて説明する。図１は、本発明の実施形態に係る埋設パイプラインのカソード防食状況計測評価装置を説明する概念図である。ここで計測評価対象となるパイプラインＰは、カソード防食電流が全てオフになった状態で腐食電位を示すものであり、歴青質塗覆装パイプライン或いは裸管が対象となる。このパイプラインＰには、例えば、外部電源カソード防食システム１等のカソード防食電流源が接続されており、外部電極１Ａ等からカソード防食電流がパイプラインＰに供給される状況になっている。この外部電源カソード防食システム１は、スイッチＳによってパイプラインＰとの接続が遮断できるようになっており、パイプラインＰに作用するカソード防食電流源を全てオン・オフすることができるようになっている。
【００１５】
また、パイプラインＰの管対地電位を計測するために、パイプラインＰは電圧計２を介して地表面に設置された照合電極３（例えば、飽和硫酸銅電極）に接続されている。
【００１６】
そして、カソード防食状況計測評価装置１０は、電圧計２からの計測値をサンプリングしてパイプラインＰの管対地電位を計測する管対地電位計測手段１１と、管対地電位計測手段１１で計測された計測値を演算処理する演算処理手段１２を備えている。
【００１７】
管対地電位計測手段１１は、電圧計２からの計測値を設定されたサンプリング間隔（例えば、０．１ｍｓｅｃ）でサンプリングして、演算処理手段１２に出力するものである。カソード防食状況計測評価装置１０の作動（計測開始）と同時に、計測値のサンプリングを常時行うか、或いは演算処理手段からの信号に応じて設定された計測期間内で計測値のサンプリングを行う。
【００１８】
演算処理手段１２は、パイプラインＰに作用するカソード防食電流源を、全てオフした状態からオンした後、設定時間経過後に再びオフするタイミングに合わせて、管対地電位計測手段１１で計測された計測値を演算処理する。このために、スイッチＳによってカソード防食電流源（例えば、外部電源カソード防食システム１）をオン・オフするタイミング信号が演算処理手段１２に入力されるようにしているか、或いは、演算処理手段１２からの出力信号によってスイッチＳのオン・オフ動作を行うことができるようにしている。
【００１９】
また、演算処理手段１２がカソード防食電流源のオン・オフ動作との連携を取っていない場合には、カソード防食電流源のオン・オフ動作タイミングを独立して記憶手段に記憶させ、それと同時に管対地電位計測手段１１が常時サンプリングを行った計測値データを全て記憶手段に記憶させておく。そして、記憶手段に記憶させたカソード防食電流源のオン・オフ動作タイミングに同期させて、記憶手段に記憶させた計測値データの演算処理を行う。
【００２０】
演算処理手段１２は、評価値抽出手段１３、評価適正判断手段１４、カソード防食状況評価手段１５の各機能を有しており、管対地電位計測手段１１によって実行される管対地電位計測工程に引き続いて行われる演算処理工程では、評価値抽出工程、評価適正判断工程、カソード防食状況評価工程が実行されることになる。
【００２１】
評価値抽出手段１３（評価値抽出工程）は、管対地電位計測手段１１で計測された計測値を単位計測時間毎に平均処理して、時系列毎の評価値を抽出する。図２は、本発明の実施形態における評価値抽出手段１３或いは評価値抽出工程の具体例を説明するための説明図である。
【００２２】
この例では、０．１ｍｓｅｃのサンプリング間隔で計測される計測値に対して、２０ｍｓｅｃ毎の単位計測時間を設定しており、更に２０ｍｓｅｃの単位計測時間が２５個連なった０．５ｓｅｃ毎の単位計測時間（区切り時間）を設定している。計測開始は、パイプラインＰに作用する全てのカソード防食電流源をオフした状態で行われ、計測開始から０．５ｓｅｃ経過した時点でカソード防食電流源をオンにし、その後設定時間（ここでは８．５ｓｅｃ）経過後に再びパイプラインＰに作用する全てのカソード防食電流源をオフにする。更に、その後設定時間（ここでは１．５ｓｅｃ）経過後に再びカソード防食電流源をオンし、以後同様のオン・オフタイミングを所定回数（例えば、３回）繰り返す。この例では、カソード防食電流源をオンしてから次に再びカソード防食電流源をオンするまでの１サイクルを１０ｓｅｃに設定している。
【００２３】
そして、評価値抽出手段１３は、２０ｍｓｅｃの単位計測時間毎に２００個の計測値を平均処理して単位計測時間毎の平均値を求め、更に、２０ｍｓｅｃの単位計測時間が２５個連なった０．５ｓｅｃの単位計測時間（区切り時間）毎に５０００個の計測値を平均処理してこの区切り時間毎の平均値を求める。
【００２４】
ここで、評価値抽出手段１３は、カソード防食電流源を全てオフした状態からオンするまでの間、当該オン後の安定時からカソード防食電流源全てを再びオフするまでの間、当該オフから再びカソード防食電流源をオンするまでの間で、各評価値を抽出する。具体例では、計測開始からカソード防食電流源をオンするまでの区切り時間の平均値として第１の評価値（１）が求められる。次に、カソード防食電流源オンから０．５ｓｅｃ後にスタートする２０ｍｓｅｃの単位計測時間の平均値として第２の評価値（２）が求められる。その後は、カソード防食電流源オンから０．５ｓｅｃ後にスタートする０．５ｓｅｃの区切り時間毎の平均値として、第３の評価値（３）〜第１８の評価値（１８）が求められる。更に、計測開始から９．０ｓｅｃ後に動作するカソード防食電流源オフから０．５ｓｅｃ後にスタートする２０ｍｓｅｃの単位計測時間の平均値として第１９の評価値（１９）が求められ、カソード防食電流源オフから０．５ｓｅｃ後にスタートする０．５ｓｅｃの区切り時間毎の平均値として、第２０の評価値（２０）〜第２１の評価値（２１）が求められる。
【００２５】
すなわち、この例では、計測開始から１０ｓｅｃの第１サイクルが終了する時点で合計２１個の評価値（１）〜（２１）が抽出され、その後、第２サイクルが終了する時点で評価値（２２）〜（４１）、第３サイクルが終了する時点で評価値（４２）〜（６１）が抽出されることになる。この際、評価値の抽出タイミングとしては、評価値（１）〜（２０）と評価値（２１）〜（４０）と評価値（４１）〜（６０）がカソード防食電流源のオン・オフタイミングからみて同等のタイミングで抽出されることになるので、以後の説明では、評価値（２１）〜（４０）或いは評価値（４１）〜（６０）を評価値（１）〜（２０）に代えて説明する。
【００２６】
パイプラインＰのカソード防食電流源が外部電源方式によりなされている場合には、変圧器・整流器のオン直後とオフ直後にスパイクが発生することがあるので、この例では、カソード防食電流源のオン時とオフ時（変圧器・整流器のオン時とオフ時）から０．５ｓｅｃの期間における計測値は評価値に反映しないようにしている。スパイクはパイプラインのカソード分極現象或いは復極現象とは無関係に起きるので、スパイクを評価値に含めると誤評価を生じることになるが、本発明の実施形態では、このような誤評価を排除して適正な評価値を抽出することができる。よって、精度の高いカソード防食状況の計測評価が可能になる。
【００２７】
次に、評価適正判断手段１４（評価適正判断工程）について説明する。評価適正判断手段１４（評価適正判断工程）は、評価値抽出手段１３によって抽出された評価値に基づいて、カソード分極基準によるカソード防食状況の評価が適正であるか否かを判断する。
【００２８】
最小１００ｍＶカソード分極を指標としたカソード防食基準が採用できる状況としては、前述したように、ａ）高温で操業するパイプライン、ｂ）硫酸塩還元菌が生息する土壌に埋設されたパイプライン、ｃ）干渉電流が存在する環境に埋設されたパイプライン、ｄ）ボンド電流が存在する配管系、ｅ）地電流が存在する環境に埋設されたパイプライン、ｆ）複合金属と接続されているか、又は複合金属からなるパイプライン、のいずれでもないことが条件となるが、前述したｂ），ｃ），ｅ）の条件に該当するか否かは計測結果からしか判断できないことが多い。本発明の実施形態では、計測値から求めた評価値を利用することで、客観的に評価適正の判断を行うことができる。
【００２９】
図３は、本発明の実施形態における評価適正判断手段１４或いは評価適正判断工程を説明するための説明図である。評価適正判断が開始されると、先ずＳＴＥＰ１で、カソード防食電流源を全てオフした状態からオンするまでの間で抽出された評価値（１）を腐食電位の基準値（−６５０ｍＶＣＳＥ（飽和硫酸銅電極ＣＳＥ電位基準））と比較して、評価値（１）が腐食電位の基準値（−６５０ｍＶＣＳＥ）以上でない場合に不適正と判断する。
【００３０】
最小１００ｍＶカソード分極基準は、腐食電位が−６５０ｍＶＣＳＥ以上のパイプラインに適用される。腐食電位は、プラスの値を示す土壌ほど、土壌抵抗率が高くなり、好気性であることが明らかにされている。腐食電位が−６５０ｍＶＣＳＥ以上の土壌は、好気性のシルトから砂であるから、硫酸塩還元菌の活性は低く、この微生物の腐食・防食に及ぼす影響は低いものと判断されている。ＳＴＥＰ１で不適正と判断された場合には、最小１００ｍＶカソード分極基準は適用できないので、以後の計測評価は行わない。
【００３１】
ステップ１で適正（ＹＥＳ）と判断された場合にはＳＴＥＰ２の判断を行う。ＳＴＥＰ２では、カソード防食電流源をオン後の安定時からカソード防食電流源全てを再びオフするまでの間で抽出された評価値（２）〜（１８）を、時系列順に比較して、後の評価値（ｎ＋１）が先の評価値（ｎ）以上の場合に不適正と判断する。
【００３２】
カソード防食電流源を安定的にオンしている状況下では、干渉電流が存在しない、地電流が存在しない、といった条件下で、カソード分極現象が発生していれば、パイプラインＰの管対地電位は時間経過と共に徐々に低下することになる。したがって、評価値（２）から（１８）において、評価値（ｎ＋１）≧評価値（ｎ）の場合、当該パイプラインＰは、カソード分極現象が発生していない、或いは干渉電流や地電流の影響を受けているとして不適正と判断することができる。ＳＴＥＰ２で不適正と判断された場合には、最小１００ｍＶカソード分極基準は適用できないので、以後の計測評価は行わない。
【００３３】
ステップ１，２で適正（ＹＥＳ）と判断された場合にはＳＴＥＰ３の判断を行う。ＳＴＥＰ３では、カソード防食電流源をオンした後に再びオフする直前に抽出された評価値（１８）を求めるための計測値波形から交流腐食リスクがあると認められる場合に不適正と判断する。
【００３４】
評価値（１８）を求めるための０．５ｓｅｃ区切り時間内には２０ｍｓｅｃの単位計測時間が２５個存在するが、この２５個の単位計測時間毎の計測値波形（２００個の計測値データからなる波形）からパイプラインＰに交流干渉リスクが有るか否かを判断する。具体的には、計測値波形が商用周波数（例えば５０Ｈｚ）の正弦波を示すか否かを判定し、示す場合には単位計測時間毎に交流管対地電位ＡＣＰＳを求め、その最大値が３．０Ｖ以上であれば、パイプラインＰに交流腐食リスクがあるとして不適正と判断する。ＳＴＥＰ３で不適正と判断された場合には、最小１００ｍＶカソード分極基準は適用できないので、以後の計測評価は行わない。
【００３５】
ステップ１〜３で適正（ＹＥＳ）と判断された場合には、カソード防食状況評価工程に移行する（ＳＴＥＰ４）。
【００３６】
次に、カソード防食状況評価手段１５（カソード防食状況評価工程）について説明する。カソード防食状況評価手段１５（カソード防食状況評価工程）は、評価適正判断手段１４の判断結果が適正である場合に、評価値から求めたカソード分極量をカソード分極基準と照査する。具体的には、計測時間内で求めたカソード分極量の最小値が１００ｍＶ以上であれば、基準に合格していると評価する。
【００３７】
ここで先ず、この１００ｍＶカソード分極基準の技術的な意味を説明する。電気化学分野において、アノード電流密度Ｉａは、下記式（１）で表されることが知られている。
【数１】
2008292360.tif 000003
【００３８】
アノード電流密度Ｉａは、腐食速度に相当する。１００ｍＶカソード分極であると、ΔＥは−１００ｍＶ、また、アノードターフェル勾配ｂａは約１００ｍＶであるので、式（１）のΔＥに１００、ｂａに１００を代入すると、Ｉａ（−１００ｍＶ）＝Ｉｃｏｒｒ／１０となる（Ｉａ（−１００ｍＶ）は、１００ｍＶカソード分極時のアノード電流密度）。この式から明らかなように、１００ｍＶカソード分極によって、分極前の自然腐食速度であるＩｃｏｒｒの１／１０になることが分かる。したがって、１００ｍＶカソード分極は、自然腐食速度を１桁小さくする腐食防止効果があることを技術的に意味している。
【００３９】
図４は、本発明の実施形態におけるカソード防食状況評価手段１５或いはカソード防食状況評価工程の具体例を示す説明図である。カソード防食状況評価工程は、カソード分極量を求める工程Ｓ１と求めたカソード分極量を基準値と照査する工程Ｓ２からなる。カソード分極量を求める工程Ｓ１では、図２で示した具体的な評価値抽出工程では、下記式（２）によってカソード分極量を求めることができる。
【数２】
2008292360.tif 000004
【００４０】
すなわち、カソード防食電流源全てをオンした後の安定時の管対地電位を評価値（２）で求め、カソード防食電流源全てを再びオフする直前の管対地電位を評価値（１８）で求めて、その電位差からカソード分極量を求める。
【００４１】
図５は、カソード防食電流源のオン・オフタイミングに伴うパイプラインの管対地電位変化（カソード分極と復極挙動）と評価値との関係を表す説明図である（同図（ａ）がカソード防食電流源のオン・オフタイミング、同図（ｂ）がパイプラインの管対地電位変化（カソード分極と復極挙動）、同図（ｃ）が評価値の時系列変化をそれぞれ表している）。
【００４２】
カソード防食電流源のオン・オフタイミングに伴うパイプラインの管対地電位変化は、同図（ｂ）に示すように、カソード防食電流源を全てオフした状態が腐食電位になり、この状態からオンした直後、或いはカソード防食電流源をオンした状態からオフした直後にＩＲドロップが現れる。ＩＲドロップとは、カソード防食電流Ｉと土壌抵抗Ｒの積からなる電位差であり、ＩＲドロップを除いた管対地電位の変化がカソード分極・復極挙動になる。
【００４３】
したがって、計測開始からカソード防食電流源をオンするまでの区切り時間（０．５ｓｅｃ）で計測された管対地電位の計測値を平均処理した評価値（１）とカソード防食電流源をオンしてから０．５ｓｅｃ後にスタートする単位計測時間２０ｍｓｅｃで計測された管対地電位の計測値を平均処理した評価値（２）との差、或いは、カソード防食電流源を再びオフする前の区切り時間（０．５ｓｅｃ）で計測された管対地電位の計測値を平均処理した評価値（１８）とカソード防食電流源をオフしてから０．５ｓｅｃ後にスタートする単位計測時間２０ｍｓｅｃで計測された管対地電位の計測値を平均処理した評価値（１９）の差がＩＲドロップになり、ＩＲドロップが生じた後の評価値（２）と十分なオン時間（８ｓｅｃ）経過後の評価値（１８）との差がカソード分極量になる。
【００４４】
特に、本基準は好気性の土壌環境で適用されることから、適正な状況下では土壌抵抗Ｒは高い値となる。土壌抵抗Ｒが高いとＩＲドロップは大きくなるので、これを確実に除いてカソード分極量を求めることが必要になるが、本発明の実施形態では、カソード防食電流源のオン・オフから十分な間隔を開けて評価値（２）を抽出しているので、精度の高いカソード分極量を求めることができる。
【００４５】
カソード防食状況評価手段１５は、式（２）によってカソード分極量を求め（図４；Ｓ１）、求めたカソード分極量を基準値（１００ｍＶ）と比較し（図４；Ｓ２）、カソード分極量≧１００ｍＶがＮＯの場合はカソード防食基準に不合格と評価し、カソード分極量≧１００ｍＶがＹＥＳの場合にはカソード防食基準に合格と判定する。複数の計測サイクルで求めたカソード分極量の最小値を求め、この最小値を基準値（１００ｍＶ）と比較することで、評価の精度をより高めることができる。
【００４６】
このような本発明の実施形態によると、１００ｍＶカソード分極基準を適用して良いかの判断を計測値から行うことができるので、客観性の高い評価計測が可能になる。また、カソード分極自体は直流成分の電位であるが、本発明の実施形態では、単位計測時間（或いは区切り時間）で計測値を平均処理して評価値を求めているので、交流成分を除去した評価値を得ることができる。
【図面の簡単な説明】
【００４７】
【図１】本発明の実施形態に係る埋設パイプラインのカソード防食状況計測評価装置を説明する概念図である。
【図２】本発明の実施形態における評価値抽出手段或いは評価値抽出工程の具体例を説明するための説明図である。
【図３】本発明の実施形態における評価適正判断手段或いは評価適正判断工程を説明するための説明図である。
【図４】本発明の実施形態におけるカソード防食状況評価手段或いはカソード防食状況評価工程の具体例を示す説明図である。
【図５】カソード防食電流源のオン・オフタイミングに伴うパイプラインの管対地電位変化（カソード分極挙動と復極挙動）と評価値との関係を表す説明図である（同図（ａ）がカソード防食電流源のオン・オフタイミング、同図（ｂ）がパイプラインの管対地電位変化（カソード分極挙動と復極挙動）、同図（ｃ）が評価値の時系列変化をそれぞれ表している）。
【符号の説明】
【００４８】
１    外部電源カソード防食システム
２    電圧計
３    照合電極（飽和硫酸銅電極）
１０    カソード防食状況計測評価装置
１１    管対地電位計測手段
１２    演算処理手段
１３    評価値抽出手段
１４    評価値適正判断手段
１５    カソード防食状況評価手段
Ｐ    パイプライン
Ｓ    スイッチ
【図１】
2008292360.tif 000005
【図２】
2008292360.tif 000006
【図３】
2008292360.tif 000007
【図４】
2008292360.tif 000008
【図５】
2008292360.tif 000009